(57)【要約】【課題】既存の電話回線を使った従来の見守り装置は、機械操作が不得手の独居老人に毎回何らかの端末操作を強いたり、サーバーの構築等で設置費用が大きくなるという問題があり、いずれのものも一通話ごとに通信料が発生する。【解決手段】室内外に設置されたドアセンサーや人感センサー等から、ドアや人の動きに連動して送られてくる接点信号または電圧信号により、コードレス子機内のひとつの操作ボタンを機械的または電気的に駆動することにより、そのボタンに設定してある電話番号に自動的に電話をかけ、受信手段となる固定電話機やスマートフォン内に着信履歴信号が形成されるのに必要十分な時間後に、自動的にコードレス子機の動作を停止させるボタン機械的または電気的に駆動させて、センサーの動作日時を、受信装置内に着信履歴として自動生成する監視システム。【選択図】図３
2017135654.tif 000002
【特許請求の範囲】
【請求項１】
室内外に設置されたドアセンサーや人感センサー等から、ドアや人の動きに連動して送られてくる接点信号または電圧信号より、コードレス子機内のひとつの操作ボタンを機械的または電気的に駆動することにより、そのボタンに設定してある電話番号に自動的に電話をかけ、受信手段となる固定電話機やスマートフォン内に着信履歴信号が形成されるのに必要十分な時間後に、コードレス子機の動作を停止させるボタンを機械的または電気的に駆動させて、センサーの動作日時を、受信装置内に着信履歴として自動生成する監視システム。
【請求項２】
請求項１の装置であって、すべての機能を電話機親機に装着した監視システム。
【請求項３】
請求項１の装置であって、コードレス子機のワンタッチダイヤルボタンとそれを駆動するワンタッチボタン駆動ユニット、及び、切ボタンとそれを駆動する切ボタンユニットを、わずかな間隔を置いて対面するように配置した収納ケース。
【発明の詳細な説明】
【技術分野】
【０００１】
本発明は、既存の電話システム上に構築される監視装置に関する。
【背景技術】
【０００２】
一人暮らしの高齢者が自宅内で倒れ、死後数日から時には数ヶ月経って発見されるケースが相次いで報告されている。遠隔地に住む親族が独居老人の動静を日夜に亘って把握したいという要望は多く、これに応えるためにインターネットや電話回線を利用した各種の見守り装置が実現している。
【０００３】
中でも最も簡便なのは、ネットワークカメラを設置しインターネットを通じて画像で確認する方法で、得られる情報量が多く、通信料も安いというメリットがある。
【０００４】
電話回線を使う方法は、画像ではなく、独居老人宅内に設置されたセンサー等で間接的に動静を把握するもので、様々な実施例があり、製品として販売されているものもある。
【先行技術文献】
【特許文献】
【０００５】
【特許文献１】特開２００５−１９６８１２
【特許文献２】特開２０１２−１９０２９４
【発明の概要】
【発明が解決しようとする課題】
【０００６】
上述のインターネットによる方法は、情報セキュリティーの問題が付きまとう。また画像を送るが故にプライバシーの問題があり、情報量が多過ぎることで受ける側の作業負担が大きく、独居老人の見守り装置に適しているとは言いがたい。
【０００７】
電話回線を使う方法は上記の問題が無く、安全でわかりやすく、インターネットより適していると思われる。特許文献１および特許文献２の発明のように、回線を使って集めた様々な情報をサーバーで管理し配信するものがあるが、設置にかかる初期費用が大きくなるのは明白である。さらには日々、耳や目や手足の機能が衰えていく独居老人側か、日常生活や仕事で忙しい見守る側のどちらかまたは双方に面倒な操作負担が生じる。またいずれの場合でも、一通話ごとの通信料が発生する。
【０００８】
上記問題点を改善し、装置が簡単で使い易く、情報セキュリティーやプライバシーの問題が無く、さらには通信料がゼロで、独居老人の日々の動静を連続的に把握できる監視システムとその装置を提供するのがこの発明の目的である。
【課題を解決するための手段】
【０００９】
一般家庭に広く普及している固定電話の多くは、電話回線につながっている親電話機と、それと対になって無線でつながっている、いわゆるコードレス子機とによって構成されている。
【００１０】
この電話システムを利用した独居老人の見回り装置はいくつか販売されているが、（図１）に示すように、すべて電話親機に何らかのセンサーが直接つながっているもので、親機から見ればセンサーは子機と同列に位置づけられる。そしてセンサーからの信号は回線上のやり取りに適した形に変換され、親機内に蓄積されるが、この情報は音声信号としてやり取りされるので、送信側か受信側のいずれかまたは双方に、受話器を上げて耳で聞くか、何らかのボタン操作を強要する。また装置が高額になり、一通話ごとに必ず通信料が発生する。
【００１１】
本発明は、独居老人宅に置かれた既存のコードレス子機をそのまま利用し、操作パネル上のボタンのひとつをセンサーからの信号が直接起動することによって情報発信装置とするものである。このボタンはワンタッチダイヤルと呼ばれるもので、電話番号がひとつ登録されていて、これを押すだけで自動的に電話がかかる仕組みである。
【００１２】
これにより、センサーが働くたびに番号が登録されている見守る側の電話が鳴るが、いちいち応答する必要は無い。これらの受信機には電話がかかってきた日時を着信履歴として自動的に記録・保存する機能があるので、その履歴表示画面を見ればそれだけで独居老人の動向がわかる。着信音は邪魔であれば、発信元の番号だけを鳴らさないようにしておけばよい。
【００１３】
これにより、送信の双方とも非常に簡便な装置で、さらには回線費が一切かからないシステムを構築することができる。
【発明の効果】
【００１４】
一般家庭に広く普及している電話をそのまま利用するので、安全確実でわかりやすくプライバシーとセキュリティーの問題が無い独居老人監視システムができる。日々の運用においては、送信側は何もしなくてよく、受信側は最小限の作業負担で済み、一台のスマートフォンで複数の独居老人宅を見守ることもできる。
【００１５】
電話回線上を流れる情報量が極限まで小さく、距離に無関係で外国間でも使用できる。設置コストが安く、使用されていないコードレス子機を有効活用でき、運用費はゼロである。また独居老人宅だけでなく、ペットの動きの把握や、不法侵入等の監視装置としても広く使用できる。
【図面の簡単な説明】
【００１６】
【図１】従来装置との違いを示す図である。
【図２】発信側の各部の関係を示す図である。
【図３】装置内にコードレス子機を挿入した実施例を示す図である。
【図４】着信履歴画面の一例である。
【発明を実施するための形態】
【００１７】
（図２）によって説明する。一般的な家庭用電話機は、回線13に接続されている親電話機12とそれに無線でつながっているコードレス子機1がある。子機1の操作パネルにはワンタッチダイヤル2といわれる小さなボタンがあり、これを押すだけで事前に登録されている電話番号に発呼動作が開始される。またその動作を終了させる切ボタン3も同操作パネルに備わっている。
【００１８】
独居老人の動きを検知するセンサー4は室内のどこかに置かれる。例えばトイレのドアの開閉に応じて接点の開と閉が繰り返されるドアセンサー15、あるいは、人の動きを感じた時に電圧信号を出す赤外線センサー16、家具や電気製品に入っているセンサー17等があり、市販されているものもある。
【００１９】
これら各種のセンサー4からの信号は、有線あるいはワイヤレスでセンサー受信部5で受けた後、ボタン駆動部7に送られ、子機1のワンタッチダイヤルボタン2を作動させる。このボタンにはあらかじめ受信者となる電話番号が登録されているので、直ちに発呼動作が開始される。センサー4からの受信信号は時間遅延部6にも同時に送られ、あらかじめ設定してある時間が経過したら駆動部7を通して切ボタン3を作動させる。
【００２０】
子機1を中心とした送信側はこれで一連の動作が終了し、初期状態に戻る。この動作の繰り返しで、受信側となる固定電話機やスマートフォンの内部にはセンサー4が反応した日時情報が着信履歴14（図４）として自動的に形成されていく。
【００２１】
また１台の電話親機12には複数台の子機1をつなぐことが出来るので、センサー4の配置を分けてそれぞれの子機1に上述の装置を構成すれば、独居老人宅内の複数個所の監視を同時に行うことができる。親機12の電波が届く範囲であれば、屋外でもかまわない。
【００２２】
また、複数の独居老人宅の見守りを、受信側一台の電話機やスマートフォンで同時に行うことも出来る。
【００２３】
なお、時間遅延部6がコントロールする遅延時間は、子機1の発呼動作が始まってから、受信側の電話機やスマートフォン等に着信履歴信号が形成されるまでの必要十分な時間以上に設定する。この時間は回線事業者や、送受信機が置かれる地域にもよるが、最低１５秒程度である。
【００２４】
なおこの時、特定の着信音だけを鳴らさないようにしておけば、受信側はこの番号からの着信状況を全く意識することなく、電話やスマートフォンを使い続けることができる。独居老人宅からの動静信号は一日数回から十数回という頻度で２４時間・３６５日、休み無く送られて来るが、いちいち反応する必要は無く、思い立った時に着信履歴画面14を開いて確認するだけでよい。
【００２５】
センサー4が反応した時間をその都度把握したい場合は、受信機の着信音かバイブレーターをオンに設定すればよいし、もちろん、普通に呼び出し音に応答してもよい。そして呼び出し音に応答した場合以外は、回線費はかからない。
【００２６】
ワンタッチダイヤル2を作動させたまま切ボタン3を作動させなくても、着信履歴14は形成される。受信側が呼び出しに応答しない場合は、一定時間経過後に電話回線事業者の内部システムが、「相手方が呼び出しに応じません」というメッセージを再生した後に自動的に切断してくれるので上記目的は一応達成される。しかしこの場合、回線13が切れるまで、通常は１分以上時間がかかるのが問題になる。
【００２７】
つまり、応答しない期間に他の電話番号からの呼び出しがあった場合は、必ず話中になってしまうし、またスマートフォン等で何かアプリを作動させている時はそれが中断してしまうという不都合がある。さらに電池を無駄に消耗し、回線業者が管理する電話システムにも余計な負荷をかけるということにもなるので、受信側に着信履歴14が形成されたら速やかに、発信動作を停止させるのが望ましい。これにより受信機となる電話機やスマートフォンが発呼信号に反応する時間は、大幅に短縮されるので上記不都合は改善される。
【００２８】
なお、発呼動作の開始から停止までの時間の設定によっては、回線成立前の発呼動作中に発信動作が止まってしまう、いわゆる不完了発呼となるが、仮にそのようになっても、このシステムは１対１の通信なので、1対不特定多数の不完了発呼を禁じた「有線電気通信法第１3条の２」の条項には抵触しない。
【００２９】
コードレス子機1のワンタッチッボタン2と切ボタン3を外部から機械的に作動させる方法はいろいろあるが、（図３）に一実施例を示す。コードレス子機1をそのまま、専用のプラスチック製のケース8の中に挿入する形のものであるが、ケース8の中にはワンタッチダイヤル2と切ボタン3を電気信号によって機械的に押すことが出来る駆動ユニット9,10が二つ入っている。これは、例えばソレノイドの中に鉄心が入っている電磁石のようなものでもよい。
【００３０】
このケース8はメーカごとに形状の違うコードレス子機1に合わせて作り、この中に子機1を差し込むだけで、ワンタッチダイヤル2と切ボタン3を駆動ユニット9,10に正確に対面させる。
【００３１】
またこのケース8は、上述のセンサー受信部5、時間遅延部6、ボタン駆動部7の各電気基板11を、電源と共に収容できるように、デザインと大きさを調節する。これにより既存の子機1を差し込むだけで発信装置として機能するので、例えば在宅中は普通の会話を目的とした電話機として使用し、外出する時にのみセンサー発信機として使用したい時に便利である。またこれにより、使うことなく放置されている子機を有効活用することができる。
【００３２】
なおこのケース8は上下に分けて、片側を蝶番止めにし、子機1を挟み込む形に構成してもよい。
【００３３】
なお、親機12にワンタッチダイヤル機能が備わっている場合には、コードレス子機1を使わず直接親機12にセンサー4をつないでもよい。この場合の一連の動作の流れは、前述の子機1を使った場合と同じである。
【００３４】
この発明の要は、電話システムの発呼信号だけで独居老人宅の見守り装置を実現するもので、これにより設置コストが安く、運用費がゼロで使い易く、安全確実でプライバシーとセキュリティーの問題が無い独居老人監視システムができる。
【００３５】
最後に、着信音を消しておくと肝心な時に通話が出来ないという問題があるが、固定電話を一回線契約していれば、もう一つの番号が非常に安価に設定できるので、通話用と見守り用の電話番号を独立させる方法があることを付け加えたい。
【符号の説明】
【００３６】
１ コードレス子機
２ ワンタッチダイヤルボタン
３ 切ボタン
４ センサー装置各種
５ センサー受信部
６ 時間遅延部
７ ボタン駆動部
８ 装置本体
９ ワンタッチダイヤルボタンの駆動ユニット
10 切ボタンの駆動ユニット
11 センサー受信基板、時間遅延基板、ボタン駆動基板、電源基板
１２ 親電話機
１３ 電話回線
１４ 着信履歴画面の例
【図１】
2017135654.tif 000003
【図２】
2017135654.tif 000004
【図３】
2017135654.tif 000005
【図４】
2017135654.tif 000006